(57)【特許請求の範囲】
【請求項１】
操作に応じた入力処理を行う入力装置であって、
該入力装置の外表面に配設されている、複数の領域からなるタッチセンサであって、該入力装置が手に持たれた状態で前記複数のうちのどの領域に人体が接触してどの領域に人体が接触していないかの接触状態を検出する接触状態検出手段と、
前記接触状態検出手段により検出された人体が接触している接触領域の位置に基づいて該入力装置がどのような状態で手に持たれて保持されているかの保持状態を判別する保持状態判別手段と、
前記接触状態検出手段により検出された人体が接触していない非接触領域の中から前記保持状態判別手段により判別された保持状態に適した操作領域を選択し、その操作領域に所定機能のタッチ操作部を割り当てる割当手段と、
を備え、
前記複数の領域のうち、前記保持状態判別手段による前記保持状態の判別に用いる領域は、前記割当手段による前記所定機能のタッチ操作部を割り当てる領域としても機能する、
ことを特徴とする入力装置。
【請求項２】
前記保持状態判別手段は、右手片手持ち、左手片手持ち、両手持ちのいずれで保持されているかを保持状態として判別すると共に、右手片手持ち、左手片手持ち、両手持ち毎にどの領域に人体が接触しているかの接触領域を保持状態として判別する、
ようにしたことを特徴とする請求項１記載の入力装置。
【請求項３】
前記入力装置の姿勢を検出する姿勢検出手段を更に備え、
前記保持状態判別手段は、該入力装置が手に持たれている保持状態を判別する場合に、前記姿勢検出手段により検出された該入力装置の姿勢毎に保持状態を判別する、
ようにしたことを特徴とする請求項１或いは請求項２記載の入力装置。
【請求項４】
前記割当手段は、前記保持状態判別手段により判別された保持状態に適した操作領域を選択する場合に、予め決められている操作指の近傍にある前記非接触領域を操作領域として選択する、
ようにしたことを特徴とする請求項１〜請求項３のいずれかに記載の入力装置。
【請求項５】
前記割当手段により前記非接触領域に所定機能のタッチ操作部を割り当てた際に、その領域を識別表示する識別表示手段を更に備える、
ようにしたことを特徴とする請求項１〜請求項４のいずれかに記載の入力装置。
【請求項６】
前記タッチセンサは、タッチスクリーンとしてのタッチ画面によって構成され、
前記識別表示手段は、前記割当手段により前記非接触領域に所定機能のタッチ操作部が割り当てられた際に、該領域にそのタッチ操作部の機能名を識別表示させる、
ようにしたことを特徴とする請求項５記載の入力装置。
【請求項７】
各種の動作モードの中から現在切り換えられている動作モードを判別する動作モード判別手段を更に備え、
前記割当手段は、所定機能のタッチ操作部を割り当てる際に、前記動作モード判別手段により判別された現在の動作モードに応じた種類の機能を持ったタッチ操作部を割り当てる、
ようにしたことを特徴とする請求項１〜請求項６のいずれかに記載の入力装置。
【請求項８】
被写体を撮像する撮像手段を更に備え、
前記割当手段は、前記撮像手段を制御する撮像に関する機能のタッチ操作部を割り当てる、
ようにしたことを特徴とする請求項１〜請求項７のいずれかに記載の入力装置。
【請求項９】
画像を記憶する画像記憶手段を更に備え、
前記割当手段は、前記画像記憶手段内の画像再生に関する機能のタッチ操作部を割り当てる、
ようにしたことを特徴とする請求項１〜請求項７のいずれかに記載の入力装置。
【請求項１０】
電子書籍を取得する取得手段を更に備え、
前記割当手段は、前記取得手段により取得した電子書籍の閲覧に関する機能のタッチ操作部を割り当てる、
ようにしたことを特徴とする請求項１〜請求項７のいずれかに記載の入力装置。
【請求項１１】
前記タッチセンサは、前記入力装置の外表面に配設されている複数のタッチセンサであり、
前記接触状態検出手段は、前記複数のタッチセンサのうち、どの位置のタッチセンサに人体が接触してどの位置のタッチセンサに人体が接触していないかの接触状態を検出する、
ようにしたことを特徴とする請求項１〜請求項１０のいずれかに記載の入力装置。
【請求項１２】
前記割当手段は、複数の非接触領域に対応して、機能の異なるタッチ操作部をそれぞれ割り当てる、
ようにしたことを特徴とする請求項１〜請求項１１のいずれかに記載の入力装置。
【請求項１３】
操作に応じた入力処理を行う入力装置であって、該入力装置の外表面に配設されている、複数の領域からなるタッチセンサを備える入力装置における入力方法であって、
該入力装置が手に持たれた状態で前記複数のうちのどの領域に人体が接触してどの領域に人体が接触していないかの接触状態を検出する接触状態検出工程と、
前記接触状態検出工程により検出された人体が接触している接触領域の位置に基づいて該入力装置がどのような状態で手に持たれて保持されているかの保持状態を判別する保持状態判別工程と、
前記接触状態検出工程により検出された人体が接触していない非接触領域の中から前記保持状態判別工程により判別された保持状態に適した操作領域を選択し、その操作領域に所定機能のタッチ操作部を割り当てる割当工程と、
を含み、
前記複数の領域のうち、前記保持状態判別工程による前記保持状態の判別に用いる領域は、前記割当工程による前記所定機能のタッチ操作部を割り当てる領域としても機能する、
ことを特徴とする入力方法。
【請求項１４】
操作に応じた入力処理を行う入力装置を制御するコンピュータに、
該入力装置の外表面に配設されている、複数の領域からなるタッチセンサであって、該入力装置が手に持たれた状態で前記複数のうちのどの領域に人体が接触してどの領域に人体が接触していないかの接触状態を検出する接触状態検出機能と、
前記接触状態検出機能により検出された人体が接触している接触領域の位置に基づいて該入力装置がどのような状態で手に持たれて保持されているかの保持状態を判別する保持状態判別機能、
前記接触状態検出機能により検出された人体が接触していない非接触領域の中から前記保持状態判別機能により判別された保持状態に適した操作領域を選択し、その操作領域に所定機能のタッチ操作部を割り当てる割当機能、
を実現させ、
前記複数の領域のうち、前記保持状態判別機能による前記保持状態の判別に用いる領域は、前記割当機能による前記所定機能のタッチ操作部を割り当てる領域としても機能する、
ことを特徴とするプログラム。
【発明の詳細な説明】
【技術分野】
【０００１】
本発明は、操作に応じた入力処理を行う入力装置、入力方法及びプログラムに関する。
【背景技術】
【０００２】
一般に、装置本体に配設されているキー（ボタン）が操作されると、その操作に応じた入力処理を行う入力装置において、各種のボタンはその位置が固定されているために操作の仕方が限られてしまう。例えば、デジタルカメラ（コンパクトカメラ）において、基本的にレリーズボタンは、カメラ本体を手で持って構えた際に、右手の人差指で押せる位置の一箇所のみに配設されているため、片手で保持して操作するためには持ち方が限られてしまうと共に、右手での操作のみに限られてしまう。
そこで、従来では、レリーズボタンを左右２箇所に備え、左右どちらの片手でも撮影操作ができるようにした技術が開示されている（特許文献１参照）。すなわち、右手用及び左手用グリップ部に対応して右手用レリーズボタンと左手用レリーズボタンとを備え、電源スイッチを兼ねたレバーを左右いずれかのグリップ側に操作することにより、右手用及び左手用レリーズボタンのいずれか一方を選択的に使用可能とする技術が開示されている。
【先行技術文献】
【特許文献】
【０００３】
【特許文献１】特開２００２−４０５３４号公報
【発明の概要】
【発明が解決しようとする課題】
【０００４】
しかしながら、上述した先行技術のように、レリーズボタンを左右２箇所に備えたとしても、レリーズボタンの配設位置が固定されている以上、カメラの持ち方が限定されることには変わらず、自由な持ち方での片手撮影などが望まれる。このことは、デジタルカメラ（コンパクトカメラ）に限らず、ボタン操作を行う全ての電子機器に対しても同様の問題が起きる。
【０００５】
本発明の課題は、装置本体を手で持ちながら操作を行う場合に、装置本体がどのように持たれて保持されているかに制限されずに操作できるようにすることである。
【課題を解決するための手段】
【０００６】
上述した課題を解決するために請求項１記載の発明は、
操作に応じた入力処理を行う入力装置であって、
該入力装置の外表面に配設されている、複数の領域からなるタッチセンサであって、該入力装置が手に持たれた状態で前記複数のうちのどの領域に人体が接触してどの領域に人体が接触していないかの接触状態を検出する接触状態検出手段と、
前記接触状態検出手段により検出された人体が接触している接触領域の位置に基づいて該入力装置がどのような状態で手に持たれて保持されているかの保持状態を判別する保持状態判別手段と、
前記接触状態検出手段により検出された人体が接触していない非接触領域の中から前記保持状態判別手段により判別された保持状態に適した操作領域を選択し、その操作領域に所定機能のタッチ操作部を割り当てる割当手段と、
を備え、
前記複数の領域のうち、前記保持状態判別手段による前記保持状態の判別に用いる領域は、前記割当手段による前記所定機能のタッチ操作部を割り当てる領域としても機能する、
ことを特徴とする。
【０００７】
請求項１に従属する発明として、
前記保持状態判別手段は、右手片手持ち、左手片手持ち、両手持ちのいずれで保持されているかを保持状態として判別すると共に、右手片手持ち、左手片手持ち、両手持ち毎にどの領域に人体が接触しているかの接触領域を保持状態として判別する、
ようにしたことを特徴とする、請求項２記載の発明であってもよい。
【０００８】
請求項１或いは請求項２に従属する発明として、
前記入力装置の姿勢を検出する姿勢検出手段を更に備え、
前記保持状態判別手段は、該入力装置が手に持たれている保持状態を判別する場合に、前記姿勢検出手段により検出された該入力装置の姿勢毎に保持状態を判別する、
ようにしたことを特徴とする、請求項３記載の発明であってもよい。
【０００９】
請求項１〜請求項３のいずれかに従属する発明として、
前記割当手段は、前記保持状態判別手段により判別された保持状態に適した操作領域を選択する場合に、予め決められている操作指の近傍にある前記非接触領域を操作領域として選択する、
ようにしたことを特徴とする、請求項４記載の発明であってもよい。
【００１０】
請求項１〜請求項４のいずれかに従属する発明として、
前記割当手段により前記非接触領域に所定機能のタッチ操作部を割り当てた際に、その領域を識別表示する識別表示手段を更に備える、
ようにしたことを特徴とする、請求項５記載の発明であってもよい。
【００１１】
請求項５に従属する発明として、
前記タッチセンサは、タッチスクリーンとしてのタッチ画面によって構成され、
前記識別表示手段は、前記割当手段により前記非接触領域に所定機能のタッチ操作部が割り当てられた際に、該領域にそのタッチ操作部の機能名を識別表示させる、
ようにしたことを特徴とする、請求項６記載の発明であってもよい。
【００１２】
請求項１〜請求項６のいずれかに従属する発明として、
各種の動作モードの中から現在切り換えられている動作モードを判別する動作モード判別手段を更に備え、
前記割当手段は、所定機能のタッチ操作部を割り当てる際に、前記動作モード判別手段により判別された現在の動作モードに応じた種類の機能を持ったタッチ操作部を割り当てる、
ようにしたことを特徴とする、請求項７記載の発明であってもよい。
【００１３】
請求項１〜請求項７のいずれかに従属する発明として、
被写体を撮像する撮像手段を更に備え、
前記割当手段は、前記撮像手段を制御する撮像に関する機能のタッチ操作部を割り当てる、
ようにしたことを特徴とする、請求項８記載の発明であってもよい。
【００１４】
請求項１〜請求項７のいずれかに従属する発明として、
画像を記憶する画像記憶手段を更に備え、
前記割当手段は、前記画像記憶手段内の画像再生に関する機能のタッチ操作部を割り当てる、
ようにしたことを特徴とする、請求項９記載の発明であってもよい。
【００１５】
請求項１〜請求項７のいずれかに従属する発明として、
電子書籍を取得する取得手段を更に備え、
前記割当手段は、前記取得手段により取得した電子書籍の閲覧に関する機能のタッチ操作部を割り当てる、
ようにしたことを特徴とする、請求項１０記載の発明であってもよい。
【００１６】
請求項１〜請求項１０のいずれかに従属する発明として、
前記タッチセンサは、前記入力装置の外表面に配設されている複数のタッチセンサであり、
前記接触状態検出手段は、前記複数のタッチセンサのうち、どの位置のタッチセンサに人体が接触してどの位置のタッチセンサに人体が接触していないかの接触状態を検出する、
ようにしたことを特徴とする、請求項１１記載の発明であってもよい。
【００１７】
請求項１〜請求項１１のいずれかに従属する発明として、
前記割当手段は、複数の非接触領域に対応して、機能の異なるタッチ操作部をそれぞれ割り当てる、
ようにしたことを特徴とする、請求項１２記載の発明であってもよい。
また、上述した課題を解決するために請求項１３記載の発明は、
操作に応じた入力処理を行う入力装置であって、該入力装置の外表面に配設されている、複数の領域からなるタッチセンサを備える入力装置における入力方法であって、
該入力装置が手に持たれた状態で前記複数のうちのどの領域に人体が接触してどの領域に人体が接触していないかの接触状態を検出する接触状態検出工程と、
前記接触状態検出工程により検出された人体が接触している接触領域の位置に基づいて該入力装置がどのような状態で手に持たれて保持されているかの保持状態を判別する保持状態判別工程と、
前記接触状態検出工程により検出された人体が接触していない非接触領域の中から前記保持状態判別工程により判別された保持状態に適した操作領域を選択し、その操作領域に所定機能のタッチ操作部を割り当てる割当工程と、
を含み、
前記複数の領域のうち、前記保持状態判別工程による前記保持状態の判別に用いる領域は、前記割当工程による前記所定機能のタッチ操作部を割り当てる領域としても機能する、
ことを特徴とする。
【００１８】
また、上述した課題を解決するために請求項１４記載の発明は、
操作に応じた入力処理を行う入力装置を制御するコンピュータに、
該入力装置の外表面に配設されている、複数の領域からなるタッチセンサであって、該入力装置が手に持たれた状態で前記複数のうちのどの領域に人体が接触してどの領域に人体が接触していないかの接触状態を検出する接触状態検出機能と、
前記接触状態検出機能により検出された人体が接触している接触領域の位置に基づいて該入力装置がどのような状態で手に持たれて保持されているかの保持状態を判別する保持状態判別機能、
前記接触状態検出機能により検出された人体が接触していない非接触領域の中から前記保持状態判別機能により判別された保持状態に適した操作領域を選択し、その操作領域に所定機能のタッチ操作部を割り当てる割当機能、
を実現させるプログラムであって、
前記複数の領域のうち、前記保持状態判別機能による前記保持状態の判別に用いる領域は、前記割当機能による前記所定機能のタッチ操作部を割り当てる領域としても機能する、
ことを特徴とする。
【発明の効果】
【００１９】
本発明によれば、装置本体を手で持ちながら操作を行う場合に、装置本体がどのように持たれて保持されているかの保持状態に応じて操作位置を動的に変更することができ、保持状態に制限されずに操作することが可能となり、操作性を損ねることなく持ち方の自由度を高めることができる。
【図面の簡単な説明】
【００２０】
【図１】入力装置として適用した携帯端末装置の基本的な構成要素を示したブロック図。
【図２】携帯端末装置の外周端部に複数の表示付きタッチセンサ１０が配設されている状態を示した図。
【図３】保持状態テーブル記憶部Ｍ４を説明するための図。
【図４】カメラ機能撮影モードに対応する操作ボタン位置テーブル記憶部Ｍ５の内容を示した図。
【図５】図４に続く操作ボタン位置テーブル記憶部Ｍ５の内容を示した図。
【図６】カメラ機能再生モードに対応する操作ボタン位置テーブル記憶部Ｍ５の内容を示した図。
【図７】電子ブック機能の対応する操作ボタン位置テーブル記憶部Ｍ５の内容を示した図。
【図８】電源投入に応じて実行開始される携帯端末装置の全体動作、特に本実施形態の特徴部分の動作概要を示したフローチャート。
【図９】図８に続く動作を示したフローチャート。
【図１０】図８に続く動作を示したフローチャート。
【図１１】操作ボタン位置決定処理（図８のステップＡ４、図９のステップＡ２０、図１０のステップＡ３３）を詳述するためのフローチャート。
【発明を実施するための形態】
【００２１】
以下、図１〜図１１を参照して本発明の実施形態を説明する。
図１は、入力装置として適用した携帯端末装置の基本的な構成要素を示したブロック図である。
携帯端末装置は、被写体を撮像するカメラ機能と、電子ブック（電子書籍）の各ページを表示させる電子ブック機能と、データを送受信する通信機能などを備えた携帯可能な端末装置であり、制御部１を中核として動作する構成となっている。制御部１は、電源部（二次電池）２からの電力供給によって動作し、記憶部３内の各種のプログラムに応じてこの携帯端末装置の全体動作を制御するもので、この制御部１には図示しないＣＰＵ（中央演算処理装置）やメモリなどが設けられている。
【００２２】
記憶部３は、例えば、ＲＯＭ、フラッシュメモリなどを有する構成で、図８〜１１に示した動作手順に応じて本実施形態を実現するためのプログラムや各種のアプリケーションなどが格納されているプログラム記憶部Ｍ１と、多くの撮像済み画像などを所定のファイル形式で保存する画像記憶部Ｍ２と、各種の電子ブックを記憶する電子ブック記憶部Ｍ３と、後述する保持状態テーブル記憶部Ｍ４及び操作ボタン位置テーブル記憶部Ｍ５とを有している。なお、記憶部３は、例えば、ＳＤカード、ＩＣカードなど、着脱自在な可搬型メモリ（記録メディア）を含む構成であってもよく、図示しないが、通信機能を介してネットワークに接続された状態では所定の外部サーバ側の記憶領域を含む構成であってもよい。
【００２３】
ＲＡＭ４は、フラグ情報、画面情報など、この携帯端末装置が動作するために必要となる各種の情報を一時的に記憶するワーク領域である。表示部５は、縦横比（アスペクト比）の異なる長方形を成し、例えば、高精細液晶ディスプレイ、有機ＥＬ（Electro Luminescence）ディスプレイ、電気泳動型ディスプレイ（電子ペーパ）のいずれかを使用したもので、カメラ機能の動作時には、撮像された画像（スルー画像：ライブビュー画像）を表示するファインダ画面（モニタ画面）として機能したり、保存済み画像を表示する再生画面として機能したり、また、電子ブック機能の動作時には、電子ブックのページを表示する閲覧画面として機能したりする。
【００２４】
操作部６は、図示省略したが、押しボタン形式の各種のキー（操作ボタン）として、カメラ機能、電子ブック機能などを選択するメニューボタン、撮影モードと再生モードとの切り換えを選択するモード選択ボタン、カメラ機能終了ボタン、電子ブック機能終了ボタンなどの各種ファンクション用ボタンやデータ入力用のボタンを備えたもので、制御部１は、この操作部６からの入力操作信号に応じた処理として、例えば、カメラ機能処理、電子ブック機能処理、データ入力処理などを行う。
【００２５】
撮像部７は、その表示部５が配設されている側に対してその逆側に配設されたもので、図示省略したが、撮像レンズ、絞り機構、Ｃ−ＭＯＳ或いはＣＣＤなどの撮像素子（エリアイメージセンサ）、光学系駆動部などのほか、照明用のストロボ、アナログ処理回路、信号処理回路などを備えている。制御部１は、オートフォーカス処理（ＡＦ処理）、ズーム処理、露出調整処理（ＡＥ処理）を実行したり、撮像部７からの画像データに対して各種の画像処理としてホワイトバランス調整を実行したり、圧縮処理を実行したり、この圧縮データを伸長復元する復元処理などを実行したりする。通信部８は、広域通信網又は近距離通信により画像データや電子ブックデータなどの送受信を行うもので、制御部１は、通信部８を介して受信した画像データや電子ブックデータを画像記憶部Ｍ２、電子ブック記憶部Ｍ３に格納するようにしている。
【００２６】
加速度センサ９は、例えば、３軸タイプの加速度センサで、携帯端末装置の筐体（装置本体）の姿勢を検出する姿勢検出部として機能し、重力方向に対する表示部５の向きを装置本体の姿勢として検出するもので、この姿勢検出結果に基づいて制御部１は、装置本体が手に持たれている場合に、縦横比の異なる表示部５が横長の状態となる横向きで保持されているのか、表示部５か縦長の状態となる縦向きで保持されているのかを判別するようにしている。なお、表示部５が横向き縦向きとは、表示部５に表示されている表示内容が倒立して見える状態を除き、その表示内容が正立して見える状態での横向き縦向きを示し、また、表示部５の横向き縦向きは、筐体の姿勢である装置本体の横向き縦向きに相当している。
【００２７】
更に、加速度センサ９は、装置本体の使用に応じた振動を検出する振動検出部として機能し、振動検出結果に基づいて制御部１は、一定時間（例えば、１秒間）略静止中であるか否かを判別し、略静止中であれば、カメラ機能又は電子ブック機能を使用中であると判別するようにしている。この場合、一定時間内に強い振動や細かな振動を検出したときには、静止中ではないと判別するようにしている。なお、弱い振動を検出したり、大きな緩やかな振動を検出したりしたときには、略静止中であると判別するようにしている。
【００２８】
複数の表示付きタッチセンサ１０は、装置本体の外表面（外周端部）に環状に整列配設されたタッチスクリーン（タッチ画面）を構成するもので、操作ボタン表示部（例えば、液晶表示パネル）１１の上に透明の接触検出部（例えば、人体接触を検出する静電容量型の接触検出部）１２を積層配設した構成となっている。なお、この表示付きタッチセンサ１０については、図２を参照して後で詳述するが、隣接する各表示付きタッチセンサ１０は、装置本体の外周端部に隙間なく一列に整列配設されている。この複数の表示付きタッチセンサ１０により検出された人体の接触状態に基づいて制御部１は、複数の表示付きタッチセンサ１０のうち、装置本体が手に持たれた状態においてどの位置のタッチセンサ１０に人体が接触（タッチオン）してどの位置のタッチセンサ１０に人体が接触していないかの接触状態を検出し、この接触状態に基づいて該装置本体がどのような状態で手に持たれて保持されているかの保持状態を判別するようにしている。
【００２９】
図２は、携帯端末装置の外観図で、その装置本体の外表面（外周端部）に複数の表示付きタッチセンサ（タッチスクリーン）１０が配設されている状態を示している。
携帯端末装置は、その全体が楕円形（卵形）を成すもので、その装置本体の前面側には、つまり、表示部５が配設されている表示部側（背面側）の逆側の面には、撮像部７を構成する撮像レンズ（図示省略）が配設されている。そして、装置本体の外周端部には、表示部５を囲むように複数（本実施形態では２０個）の表示付きタッチセンサ１０が配設されている。なお、図中、一連番号の“１”〜“２０”は、２０個の表示付きタッチセンサ１０の配列順を示したもので、表示部５が横向きの状態において、時針の１２時の位置には“１”のタッチセンサ１０が配設され、３時の位置には“６”のタッチセンサ１０が配設され、６時の位置には“１１”のタッチセンサ１０が配設され、９時の位置には“１６”のタッチセンサ１０が配設されている。
【００３０】
この場合、複数の表示付きタッチセンサ１０は、装置本体の外周端部を覆うように形成された断面Ｌ字型状の板部材で、装置本体の背面側から側面側に配設されている。なお、各表示付きタッチセンサ１０の幅の大きさ（タッチセンサ１０が隣り合う方向の大きさ）は、標準的な指の１本の幅以下（例えば、１ｃｍ程度）となっている。以下、表示付きタッチセンサ１０を単にタッチセンサ１０と呼称するものとする。このように各タッチセンサ１０は、装置本体の外周端部に板部材を断面Ｌ字型状に折り曲げて配設されたもので、装置本体の外周端部においてその背面側、側面側のいずれに手が触れてもタッチオンを検出する構成となっている。
【００３１】
例えば、表示部５が横向きの状態において、前面側の“７”〜“１０”のタッチセンサ１０のいずれかを右手の親指（指先）で押え、背面側を右手の人差し指及び中指（指先）で押えている保持状態（右手３本指による１点片手持ち）であれば、各指が接触している“７”〜“１０”のタッチセンサ１０がタッチオンとなる。また、表示部５が横向きの状態において、前部側の“４”〜“８”のタッチセンサ１０の全てを右手の親指及びその付け根部分の側面全体で押え、背面側を右手の中指で押えている保持状態（右手２本による掴み持ち）であれば、各指が接触している“４”〜“８”のタッチセンサ１０がタッチオンとなる。
【００３２】
制御部１は、加速度センサ９による姿勢検出結果（表示部５の向き）及び各タッチセンサ１０の検出結果（接触状態）に基づいて、装置本体が手に持たれている保持状態として、表示部５が横向きの状態において右手片手持ち、左手片手持ち、両手持ち、また、表示部５が縦向きの状態において右手片手持ち、左手片手持ち、両手持ちの６種類のうち、いずれの保持状態であるかを判別するようにしている。更に、制御部１は、右手片手持ち、左片手持ち、両手持ち毎にどの位置に人体が接触しているかの接触位置の関係を保持状態として判別するようにしている。同じ種類の持ち方（例えば、右手片手持ち）であっても、どの指を使ってどこに触るかによっては接触の仕方が異なるためにその接触位置の関係から保持状態を判別するようにしている。そして、制御部１は、複数のタッチセンサ１０のうち、人体が接触していない非接触のタッチセンサ１０の中から現在の保持状態に適した操作位置にあるタッチセンサ１０を選択し、その位置のタッチセンサ１０に所定機能のタッチ操作部（タッチキー：操作ボタン）を割り当てるようにしている。
【００３３】
すなわち、制御部１は、装置本体の現在の保持状態に適した操作位置として、予め決められている操作指（例えば、人差し指）の位置の近傍にある非接触のタッチセンサ１０を選択し、この操作位置の非接触のタッチセンサ１０に所定機能のタッチ操作部（例えば、レリーズボタン、露出補正ボタンなど）を割り当てるようにしている。この場合、そのタッチセンサ１０には、割り当てられたボタンの機能名（記号）が表示される。例えば、図２に示すように、ボタンの機能名（記号）として、レリーズボタンであれば、“二重丸”の記号が表示され、＋方向の露出補正ボタンであれば、“＋”の記号が表示され、−方向の露出補正ボタンであれば、“−”の記号が表示される。また、次画像送りボタンや次ページ送りボタンであれば、“＞”の記号が表示され、前画像送りボタンや前ページ送りボタンであれば、“＜”の記号が表示され、ズームボタンであれば、“四角形”の記号が表示される。
【００３４】
図３は、保持状態テーブル記憶部Ｍ４を説明するための図である。
保持状態テーブル記憶部Ｍ４は、加速度センサ９による検出結果（表示部５の向き）及び各タッチセンサ１０の検出結果（接触状態）に基づいて、装置本体が手に持たれている保持状態を判別する際に参照されるもので、その内容はユーザ操作により任意に設定可能としている。ここで、図示の例において、制御部１は、カメラ機能撮影モード、カメラ機能再生モード、電子ブック機能に関わらず、表示部５が横向きで、“２”〜“１０”のタッチセンサ１０の間のみの接触を検出した場合、又は、表示部５が縦向きで、“１７”〜“２０”又は“１”〜“５”のタッチセンサ１０の間のみの接触を検出した場合には、保持状態として右手による片手持ちと判別するようにしている。
【００３５】
また、図示の例において、制御部１は、表示部５が横向きで、“１２”〜“２０”のタッチセンサ１０の間のみの接触を検出した場合、又は、表示部５が縦向きで、“７”〜“１５”のタッチセンサ１０の間のみの接触を検出した場合には、保持状態として左手による片手持ちと判別するようにしている。また、表示部５が横向きで、“２”〜“１０”、“１２”〜“２０”のタッチセンサ１０の両方の間の接触を検出した場合、又は、表示部５が縦向きで、“１７”〜“２０”又は“１”〜“５”及び“７”〜“１５”のタッチセンサ１０の両方の間の接触を検出した場合には、保持状態として両手持ちと判別するようにしている。
【００３６】
図４〜図７は、操作ボタン位置テーブル記憶部Ｍ５を説明するための図である。
操作ボタン位置テーブル記憶部Ｍ５は、上述のように保持状態テーブル記憶部Ｍ４を参照することにより判別された保持状態のほかに、加速度センサ９による検出結果（表示部５の向き）及び各タッチセンサ１０の検出結果（接触状態）に基づいて、上述のように所定機能の操作ボタンを割り当てるためのテーブルで、カメラ機能撮影モード、カメラ機能再生モード、電子ブック機能に対応するテーブル内容となっている。図４及び図５は、カメラ機能撮影モードに対応する操作ボタン位置テーブル記憶部Ｍ５の内容を示し、図６は、カメラ機能再生モードに対応する操作ボタン位置テーブル記憶部Ｍ５の内容を示し、図７は、電子ブック機能の対応する操作ボタン位置テーブル記憶部Ｍ５の内容を示している。
【００３７】
操作ボタン位置テーブル記憶部Ｍ５は、マトリックス状の表を有する構成で、この表の行方向（図中、縦方向）は、装置本体の保持状態（上述した６種類の保持状態）に対応付けられている。すなわち、表示部５が横向き状態での右手片手持ち、左手片手持ち、両手持ち、表示部５が縦向き状態での右手片手持ち、左手片手持ち、両手持ちの６種類、言い換えれば、右手で保持している状態で表示部５が横向きの場合と縦向きの場合、左手で保持している状態で表示部５が横向きの場合と縦向きの場合、両手で保持している状態で表示部５が横向きの場合と縦向きの場合の６種類が対応付けられている。また、この種類毎の各行は、どの位置に人体が接触しているかの接触位置の関係を示す保持状態に対応付けられている。この場合、同じ種類の持ち方であっても、どの指を使ってどこに触れているかによっては接触の仕方が異なるためにその接触位置の関係を示す保持状態を対応付けている。更に、表の列方向（図中、横方向）は、２０個のタッチセンサ１０がその配列順に対応付けられている。そして、表のマトリックス状の各セル部分には、人体が接触しているタッチセンサ１０であることを示す“○”が記憶されている。また、セル内の“Ａ”、“Ｂ”〜“Ｈ”は、タッチセンサ１０に割り当てられるボタンの機能名を示している。
【００３８】
図４及び図５に示すように、カメラ機能撮影モードに対応する操作ボタン位置テーブル記憶部Ｍ５には、ボタンの機能名として“Ａ”〜“Ｃ”が記憶され、“Ａ”は、レリーズボタン、“Ｂ”は、＋方向の露出補正ボタン、“Ｃ”は、−方向の露出補正ボタンを示している。この場合、上述した６種類に対応した保持状態に適した操作指（例えば、人差し指）の位置の近傍にある非接触のタッチセンサ１０をレリーズボタン、＋方向の露出補正ボタン、−方向の露出補正ボタンとして割り当てるような記憶内容となっている。例えば、図４の１行目に示すように“７”のタッチセンサ１０のみが接触されている場合、又は２行目に示すように“７”及び“８”のタッチセンサ１０のみが接触されている場合には、“２”のタッチセンサ１０に−方向の露出補正ボタン、“３”のタッチセンサ１０に＋方向の露出補正ボタン、“４”のタッチセンサ１０にレリーズボタンが割り当てられることを示している。
【００３９】
図６に示すように、カメラ機能再生モードに対応する操作ボタン位置テーブル記憶部Ｍ５には、ボタンの機能名として“Ｄ”〜“Ｆ”が記憶され、“Ｄ”は、次画像送りボタン、“Ｅ”は、前画像送りボタン、“Ｆ”は、ズームボタンを示している。この場合、上述した６種類に対応した保持状態に適した操作指（例えば、人差し指）の位置の近傍にある非接触のタッチセンサ１０を次画像送りボタン、前画像送りボタン、ズームボタンとして割り当てるような記憶内容となっている。例えば、図６の１行目に示すように“７”のタッチセンサ１０のみが接触されている場合、又は２行目に示すように“８”のタッチセンサ１０のみが接触されている場合には、“２”のタッチセンサ１０にズームボタン、“３”のタッチセンサ１０に次画像送りボタン、“４”のタッチセンサ１０に前画像送りボタンが割り当てられることを示している。
【００４０】
図７に示すように、電子ブック機能の対応する操作ボタン位置テーブル記憶部Ｍ５には、ボタンの機能名として“Ｇ”、“Ｈ”が記憶され、“Ｇ”は、次ページ送りボタン、“Ｈ”は、前ページ送りボタンを示している。この場合、上述した６種類に対応した保持状態に適した操作指（例えば、人差し指）の近傍にある非接触のタッチセンサ１０を次ページ送りボタン、前ページ送りボタンとして割り当てるような記憶内容となっている。例えば、図７の１行目に示すように“７”のタッチセンサ１０のみが接触されている場合、又は２行目に示すように“８”のタッチセンサ１０のみが接触されている場合には、“３”のタッチセンサ１０に次ページ送りボタン、“４”のタッチセンサ１０に前ページ送りボタンが割り当てられることを示している。
【００４１】
次に、本実施形態における携帯端末装置の動作概念を図８〜図１１に示すフローチャートを参照して説明する。ここで、これらのフローチャートに記述されている各機能は、読み取り可能なプログラムコードの形態で格納されており、このプログラムコードに従った動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００４２】
図８〜図１１は、携帯端末装置の全体動作、特に本実施形態の特徴部分の動作概要を示したフローチャートで、電源投入に応じて実行開始される。
先ず、制御部１は、カメラ機能、電子ブック機能などを選択するメニューボタンが操作されることによりカメラ機能が起動されたかを調べたり（図８のステップＡ１）、電子ブック機能が起動されたかを調べたり（図１０のステップＡ３１）、その他の操作が行われたかを調べたりする（図１０のステップＡ４０）。ここで、その他の操作として、データを送受信する通信機能が起動されたり、輝度調整が指示されたり、保持状態テーブル記憶部Ｍ４の設定が指示されたりした場合には（ステップＡ４０でＹＥＳ）、その操作に応じた処理として、通信処理、輝度調整処理、テーブル設定処理などを行った後（ステップＡ４１）、最初の図８のステップＡ１に戻る。
【００４３】
いま、カメラ機能が起動されたときには（図８のステップＡ１でＹＥＳ）、モード選択ボタンの操作により撮影モードに切り換えられているか再生モードに切り換えられているかを調べ（ステップＡ２）、撮影モードに切り換えられているときには（ステップＡ２でＹＥＳ）、加速度センサ９による振動検出結果に基づいて一定時間略静止中であるかを判定しながら略静止するまで待機状態となる（ステップＡ３）。ここで、一定時間の略静止中を検出したときには（ステップＡ３でＹＥＳ）、保持状態テーブル記憶部Ｍ４、操作ボタン位置テーブル記憶部Ｍ５を参照することにより操作ボタン位置決定処理に移る（ステップＡ４）。
【００４４】
図１１は、操作ボタン位置決定処理（図８のステップＡ４、図９のステップＡ２０、図１０のステップＡ３３）を詳述するためのフローチャートである。
先ず、制御部１は、加速度センサ９の検出結果に基づいて重力方向に対する表示部５の向き（横向き／縦向き）を装置本体の姿勢（横向き／縦向き）として取得すると共に（ステップＢ１）、タッチセンサ１０から接触状態を取得する（ステップＢ２）。そして、加速度センサ９による検出結果（表示部５の向き）及び各タッチセンサ１０の検出結果（接触状態）に基づいて、保持状態テーブル記憶部Ｍ４を参照して（ステップＢ３）、装置本体が手に持たれている保持状態として、上述した６種類の持ち方のいずれかに該当する保持状態であるかを調べる（ステップＢ４）。
【００４５】
いま、該当する保持状態が無ければ（ステップＢ４でＮＯ）、現在の持ち方が適切ではないために適切な持ち方に変更すべきことを促すメッセージを表示部５にアラート表示させるが（ステップＢ８）、該当する保持状態が有れば（ステップＢ４でＹＥＳ）、操作ボタン位置テーブル記憶部Ｍ５を参照し（ステップＢ５）、操作ボタンを決定する処理に移る（ステップＢ６）。この場合、該当する保持状態のほかに、加速度センサ９による検出結果（表示部５の向き）及び各タッチセンサ１０の検出結果（接触状態）に基づいて、操作ボタン位置テーブル記憶部Ｍ５を参照し、操作指（例えば、人差し指）の近傍にある非接触のタッチセンサ１０を操作ボタンとして決定する。
【００４６】
いま、カメラ機能撮影モードの場合であるから図４及び図５に示すカメラ機能撮影モードに対応する操作ボタン位置テーブル記憶部Ｍ５の内容に基づいて操作ボタンを決定する。そして、決定した操作ボタンの機能名を該タッチセンサ１０に表示させる（ステップＢ７）。この場合、操作ボタンの機能名として、レリーズボタンに“二重丸”の記号を該タッチセンサ１０に表示させ、＋方向の露出補正ボタンに、“＋”の記号を該タッチセンサ１０に表示させ、−方向の露出補正ボタンには“−”の記号を該タッチセンサ１０に表示させる。
【００４７】
このようにして操作ボタン位置決定処理（図８のステップＡ４）が終わると、撮像部７からのスルー画像（ライブビュー画像）を表示部５にモニタ表示させた後（ステップＡ５）、上述のようにして割り当てたレリーズボタンが操作されたか（ステップＡ６）、露出補正ボタンが操作されたかを調べたり（ステップＡ１０）、操作部６上のモード選択ボタンが操作されたか（ステップＡ１２）、カメラ機能終了ボタンが操作されたか（ステップＡ１４）、その他の操作が操作されたかを調べたりする（ステップＡ１５）。
【００４８】
ここで、いずれの操作も行われなければ（ステップＡ１５でＮＯ）、上述の静止判定を行うステップＡ３に戻るが、その他の操作として、例えば、露出設定、ズーム、撮影シーン設定などの操作が行われたときには（ステップＡ１５でＹＥＳ）、その操作に応じた処理として、露出設定処理、ズーム処理、撮影シーン設定処理などを行った後（ステップＡ１６）、上述の静止判定を行うステップＡ３に移る。また、露出補正ボタンが操作されたときには（ステップＡ１０でＹＥＳ）、その操作ボタンの種類に応じて＋方向或いは−方向に露出を補正する処理を行った後（ステップＡ１１）、上述の静止判定を行うステップＡ３に戻る。
【００４９】
また、レリーズボタンが操作されたときには（ステップＡ６でＹＥＳ）、ＡＥ処理、ＡＦ処理などを実行した後（ステップＡ７）、撮影処理に移り（ステップＡ８）、撮像された画像に対してホワイトバランス調整などを行った後、圧縮処理によって圧縮した画像データを画像記憶部Ｍ２に記憶保存させる保存処理を行う（ステップＡ９）。その後、上述の静止判定を行うステップＡ３に戻る。以下、レリーズボタンが操作される毎に、上述の動作を繰り返す。また、カメラ機能終了ボタンが操作されたときには（ステップＡ１４でＹＥＳ）、上述のステップＡ１に戻るが、撮影モードにおいてモード選択ボタンが操作されたときには（ステップＡ１２でＹＥＳ）、撮影モードから再生モードへの切り換えを行った後（ステップＡ１３）、図９のフローに移る。
【００５０】
このようにカメラ機能の再生モードに切り換えられた状態において、画像記憶部Ｍ２に記憶されている撮像済み画像の中から再生対象として所望する画像を選択する画像選択操作が行われると（図９のステップＡ１７でＹＥＳ）、その選択画像を再生対象として読み出す（ステップＡ１８）。そして、上述の場合と同様に、加速度センサ９による振動検出結果に基づいて一定時間略静止中であるかを判定しながら略静止するまで待機状態となる（ステップＡ１９）。ここで、一定時間の略静止中を検出したときには（ステップＡ１９でＹＥＳ）、操作ボタン位置決定処理に移る（ステップＡ２０）。
【００５１】
この場合においても、図１１のフローに従った動作が実行される。いま、カメラ機能撮影モードであるから図６に示すようにカメラ機能再生モードに対応する操作ボタン位置テーブル記憶部Ｍ５の内容に基づいて操作ボタンを決定する。その結果、操作ボタンの機能名として、次画像送りボタンには“＞”の記号が該タッチセンサ１０に表示され、前画像送りボタンには、“＜”の記号が該タッチセンサ１０に表示され、ズームボタンには“四角形”の記号が該タッチセンサ１０に表示される。
【００５２】
そして、再生対象として読み出した画像を表示部５に表示させた後（ステップＡ２１）、上述のようにして割り当てた画像送りボタンが操作されたか（ステップＡ２２）、ズームボタンが操作されたかを調べたり（ステップＡ２４）、操作部６上のモード選択ボタンが操作されたか（ステップＡ２６）、カメラ機能終了ボタンが操作されたか（ステップＡ２８）、その他の操作が操作されたかを調べたりする（ステップＡ２９）。ここで、いずれの操作も行われなければ（ステップＡ２９でＮＯ）、上述の静止判定を行うステップＡ１９に戻るが、その他の操作として、例えば、画像の削除などの編集、スライドショーの開始などが操作されたときには（ステップＡ２９でＹＥＳ）、操作に応じた処理として編集処理、スライドショー表示処理などを実行した後（ステップＡ３０）、上述の静止判定を行うステップＡ１９に戻る。
【００５３】
また、上述のようにして割り当てた画像送りボタンが操作されたときには（ステップＡ２２でＹＥＳ）、操作ボタンの種類に応じて次画像への画像送り処理を行ったり、前画像への画像送り処理を行ったりした後（ステップＡ２３）、上述の静止判定を行うステップＡ１９に戻る。また、上述のようにして割り当てたズームボタンが操作されたときには（ステップＡ２４でＹＥＳ）、そのボタン操作に応じてズーム処理を行った後（ステップＡ２５）、上述の静止判定を行うステップＡ１９に戻る。また、再生モードにおいてモード選択ボタンが操作されたときには（ステップＡ２６でＹＥＳ）、撮影モードへの切り換えを行った後（ステップＡ２７）、図８のフローに移るが、カメラ機能終了ボタンが操作されたときには（ステップＡ２８でＹＥＳ）、図８の最初のステップＡ１に戻る。
【００５４】
一方、電子ブック機能が起動されたときには（図１０のステップＡ３１でＹＥＳ）、加速度センサ９による振動検出結果に基づいて一定時間略静止中であるかを判定しながら略静止するまで待機状態となる（ステップＡ３２）。ここで、一定時間の略静止中を検出したときには（ステップＡ３２でＹＥＳ）、操作ボタン位置決定処理に移る（ステップＡ３３）。この場合においても、図１１のフローに従った動作が実行される。いま、電子ブック機能の起動中であるから図７に示すように電子ブック機能に対応する操作ボタン位置テーブル記憶部Ｍ５の内容に基づいて操作ボタンを決定する。その結果、操作ボタンの機能名として、次ページ送りボタンには“＞”の記号、前ページ送りボタンには、“＜”の記号が該タッチセンサ１０に表示される。
【００５５】
そして、電子ブックから読み出したページ内容を表示部５に表示させた後（ステップＡ３４）、上述のようにして割り当てたページ送りボタンが操作されたかを調べたり（ステップＡ３５）、操作部６上の電子ブック機能終了ボタンが操作されたか（ステップＡ３７）、その他の操作が操作されたかを調べたりする（ステップＡ３８）。ここで、いずれの操作も行われなければ（ステップＡ３８でＮＯ）、上述の静止判定を行うステップＡ３２に戻るが、その他の操作として、例えば、しおり差し込み操作などが行われたときには（ステップＡ３８でＹＥＳ）、その操作に応じた処理としてしおり差し込み処理などを実行した後（ステップＡ３９）、上述の静止判定を行うステップＡ３２に戻る。また、上述のようにして割り当てたページ送りボタンが操作されたときには（ステップＡ３５でＹＥＳ）、操作ボタンの種類に応じて次ページへのページ送り処理を行ったり、前ページへのページ送り処理を行ったりした後（ステップＡ３６）、上述の静止判定を行うステップＡ３２に戻る。また、電子ブック機能終了ボタンが操作されたときには（ステップＡ３７でＹＥＳ）、図８の最初のステップＡ１に戻る。
【００５６】
以上のように、本実施形態において制御部１は、複数のタッチセンサ１０のうち、装置本体が手に持たれた状態でどの位置に人体が接触してどの位置に人体が接触していないかの接触状態を検出すると共に、この接触位置に基づいて該装置本体がどのような状態で手に持たれて保持されているかの保持状態を判別し、人体が接触していない非接触のタッチセンサ１０の中から現在の保持状態に適した位置のタッチセンサ１０を操作位置として選択し、その操作位置のタッチセンサ１０に所定機能の操作ボタン（タッチ操作部）を割り当てるようにしたので、装置本体を手で持ちながら操作を行う場合に、装置本体がどのように持たれて保持されているかの保持状態に応じて操作ボタンの位置を動的に変更することができ、保持状態に制限されずに操作することが可能となり、操作性を損ねることなく持ち方の自由度を高めることができる。
【００５７】
複数のタッチセンサ１０の接触状態に基づいて右手片手持ち、左片手持ち、両手持ちのいずれで保持されているかを保持状態として判別すると共に、右手片手持ち、左片手持ち、両手持ち毎にどの位置に人体が接触しているかの接触位置を保持状態として判別するようにしたので、複数の種類に応じた保持状態を判別することができると共に、同じ種類の持ち方であっても、どの指を使ってどこに触れているかによっては接触の仕方が異なるためにその接触位置の関係から保持状態を判別することができ、持ち方の自由度を更に高めることが可能となる。
【００５８】
加速度センサ９により検出された装置本体の姿勢に基づいて装置本体の保持状態を判別するようにしたので、縦横比の異なる表示部５が横長の状態となる横向きで保持されているのか、表示部５か縦長の状態となる縦向きで保持されているのかの判別が可能となり、持ち方の自由度を更に高めることができる。
【００５９】
装置本体の保持状態に適した操作位置を選択する場合に、予め決められている操作指の近傍にある前記非接触位置を操作位置として選択するようにしたので、例えば、持ち方をいろいろ変えたとしても同じ指で同じ機能の操作ボタンを操作することができる。
【００６０】
所定機能の操作ボタンとして割り当てられたタッチセンサ１０を識別表示するようにしたので、操作ボタンへの操作を適切に行うことができる。
【００６１】
所定機能の操作ボタンとして割り当てられたタッチセンサ１０にその機能名を識別表示するようにしたので、機能の異なる複数の操作ボタンが割り当てられている状態でも所望する操作ボタンへの操作を適切に行うことができる。
【００６２】
所定機能の操作ボタンを割り当てる際に、現在の動作モードに応じた種類の機能を持った操作ボタンを割り当てるようにしたので、同じタッチセンサ１０であっても現在の動作モードに応じて異なる機能の操作ボタンを割り当てることができ、モード数に応じて操作ボタンの数を増やすことができる。
【００６３】
撮像部７を制御する撮影に関する機能の操作ボタン（例えば、レリーズボタン、露出補正ボタン）を割り当てるようにしたので、撮影時における装置本体の持ち方に影響されることなく、レリーズ操作などを容易に行うことができる。
【００６４】
画像記憶部Ｍ２内の画像再生に関する機能の操作ボタン（例えば、次画像送りボタン、前画像送りボタン、ズームボタン）を割り当てるようにしたので、画像再生時における装置本体の持ち方に影響されることなく、画像送り操作などを容易に行うことができる。
【００６５】
電子ブックの閲覧に関する機能の操作ボタン（例えば、次ページ送りボタン、前ページ送りボタン）を割り当てるようにしたので、電子ブックの閲覧時における装置本体の持ち方に影響されることなく、ページ送り操作などを容易に行うことができる。
【００６６】
装置本体の外表面（外周端部）に複数のタッチセンサ１０を配設するようにしたので、タッチセンサ毎にその接触状態を検出したり、操作ボタンを割り当てたりすることができる。
【００６７】
機能の異なる複数の操作ボタンをそれぞれ割り当てるようにしたので、装置本体の持ち方に制限されずに複数の操作ボタンを任意に操作することができる。
【００６８】
なお、上述した実施形態においては、装置本体の外表面（外周端部）に複数のタッチセンサ１０を一列に整列配設するようにしたが、外周端部に限らず、装置本体の外表面の左右両側端部及び上下両側端部に配設するようにしてもよく、また、装置本体の左側端部、右側端部、上側端部、下側端部のいずれかに配設するようにしてもよい。
【００６９】
上述した実施形態においては、携帯端末装置の全体形状を楕円形（卵形）とした場合を例示したが、楕円形に限らず、携帯端末装置の全体形状は、長方体などであってもよく、その形状は任意である。
【００７０】
上述した実施形態においては、装置本体の外周端部に単一のタッチセンサ１０を配設するようにしてもよい。すなわち、装置本体の外周端部に環状のタッチセンサ１０を配設した状態において、この単一のタッチセンサ１０を論理的に複数個（例えば、上述の実施形態と同様の２０個）のタッチ領域に区分するようにしてもよい。
【００７１】
上述した実施形態においては、加速度センサ９により表示部５の横向き、縦向きを装置本体の姿勢として検出するようにしたが、横向き、縦向きに限らず、この横向きと縦向きの間の角度４５°などを検出してもよく、その姿勢は問わない。
【００７２】
上述した実施形態においては、操作に適した操作指として人差し指を例にしたが、親指などを操作に適した操作指としてもよい。また、右手に限らず、左手の人差し指や親指などを操作に適した操作指としてもよい。
【００７３】
また、上述した実施形態においては、複数のタッチセンサ１０の接触状態に基づいて右手片手持ち、左片手持ち、両手持ちのいずれで保持されているかを保持状態として判別するようにしたが、右手片手持ち、左片手持ち、両手持ちのいずれで保持するかをユーザ操作により設定可能としてもよい。
【００７４】
上述した実施形態においては、所定機能の操作ボタンとして割り当てられたタッチセンサ１０を識別表示する場合にその機能名を表示するようにしたが、色を変えて点灯するようにしてもよい。例えば、レリーズボタンでは赤色、露出補正ボタンでは青色などで識別表示してもよく、更に点灯に限らず、点滅表示など、任意である。また、操作ボタンを割り当てたタッチセンサ１０に、そのボタンの機能名を表示するようにしたが、複数のタッチセンサ１０で表示部５が囲まれている場合、操作ボタンが割り当てられたタッチセンサ１０に最も近い表示部５の領域にそのボタンの機能名を表示させるようにしてもよい。
【００７５】
上述した実施形態においては、入力装置としてカメラ機能及び電子ブック機能を備えた携帯端末装置に適用した場合を示したが、デジタルカメラ（コンパクトカメラ）、携帯電話機、ＰＤＡ、音楽プレイヤーなどの入力装置であってもよい。
【００７６】
その他、上述した実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００７７】
１  制御部
３  記憶部
５  表示部
６  操作部
７  撮像部
９  加速度センサ
１０表示付きタッチセンサ
Ｍ１  プログラム記憶部
Ｍ２  画像記憶部
Ｍ３  電子ブック記憶部
Ｍ４  保持状態テーブル記憶部
Ｍ５  操作ボタン位置テーブル記憶部
【図１】
0005656107.tif 000002
【図２】
0005656107.tif 000003
【図３】
0005656107.tif 000004
【図４】
0005656107.tif 000005
【図５】
0005656107.tif 000006
【図６】
0005656107.tif 000007
【図７】
0005656107.tif 000008
【図８】
0005656107.tif 000009
【図９】
0005656107.tif 000010
【図１０】
0005656107.tif 000011
【図１１】
0005656107.tif 000012